(57)【要約】【課題】畳部屋から畳を撤去して床構造をリフォームできるとともに、工期の大幅な短縮及びコストダウンを図ることができる床構造のリフォーム方法を実現する。【解決手段】本床構造のリフォーム方法は、床面Ｆ上に複数の畳１０が敷設された床構造のリフォーム方法であって、床面上から畳を取り外す畳取り外し工程と、畳が取り外された床面上にフロアパネル１を敷設するパネル敷設工程と、フロアパネル上に表面材２を敷設する表面材敷設工程と、を備える。【選択図】図４
2020169476.tif 000002
【特許請求の範囲】
【請求項１】
床面上に複数の畳が敷設された床構造のリフォーム方法であって、
前記床面上から前記畳を取り外す畳取り外し工程と、
前記畳が取り外された前記床面上にフロアパネルを敷設するパネル敷設工程と、
前記フロアパネル上に表面材を敷設する表面材敷設工程と、を備えることを特徴とする床構造のリフォーム方法。
【請求項２】
前記表面材上に設備ユニットを設置するユニット設置工程を備える請求項１に記載の床構造のリフォーム方法。
【請求項３】
前記設備ユニットは、介護ベッドである請求項２に記載の床構造のリフォーム方法。
【請求項４】
前記フロアパネルの表面側には、前記設備ユニットに接続される配線及び／又は配管を配置可能な凹部が形成されており、
前記凹部に前記配線及び／又は前記配管を配置する配置工程を備える請求項２又は３に記載の床構造リフォーム方法。
【請求項５】
前記フロアパネルの表面側には、前記フロアパネルの下部に連通する孔部が形成されており、
前記設備ユニットに接続される配線及び／又は配管を前記孔部に挿通する挿通工程を備える請求項２又は３に記載の床構造リフォーム方法。
【請求項６】
前記パネル敷設工程では、前記床面上に敷設される前記フロアパネルの側面と他の部材との間に両者の隙間を埋める充填部材が配置される請求項１乃至５のいずれか一項に記載の床構造のリフォーム方法。
【請求項７】
前記畳取り外し工程では、複数の前記畳のうちの一部の前記畳が取り外されるとともに、前記床面上に残された前記畳が並び替えられる請求項１乃至６のいずれか一項に記載の床構造のリフォーム方法。
【請求項８】
前記床面上から前記フロアパネル及び前記表面材を取り外し、それらが取り外された前記床面上に前記畳取り外し工程で取り外された前記畳を敷設し直す畳敷設工程を備える請求項１乃至７のいずれか一項に記載の床構造のリフォーム方法。
【請求項９】
前記パネル敷設工程では、平面正方形又は平面矩形に形成された前記フロアパネル及び他のフロアパネルが用いられ、
前記フロアパネルの縦幅及び横幅のうちの一方の幅は、前記他のフロアパネルの縦幅及び横幅のうちの一方の幅と一致し、
前記フロアパネルの縦幅及び横幅のうちの他方の幅は、前記他のフロアパネルの縦幅及び横幅のうちの他方の幅と異なる請求項１乃至８のいずれか一項に記載の床構造のリフォーム方法。
【請求項１０】
前記フロアパネルは、複数のパネル片を連結部で連結して構成されており、
前記パネル片は、天板と、前記天板を支持するための支持脚と、を備える請求項１乃至９のいずれか一項に記載の床構造のリフォーム方法。
【請求項１１】
床面上に複数の畳が敷設された床構造のリフォーム方法であって、
前記床面上から複数の前記畳のうちの一部の前記畳を取り外し、前記床面上に残された前記畳を並び替えるとともに、前記床面上にフロアパネルを敷設することを特徴とする床構造のリフォーム方法。
【請求項１２】
床面上には、畳とともに該畳に隣接してフロアパネルが敷設されており、
前記フロアパネル上には、表面材が敷設されていることを特徴とする床構造。
【発明の詳細な説明】
【技術分野】
【０００１】
本発明は、床構造のリフォーム方法及び床構造に関し、さらに詳しくは、床面上に複数の畳が敷設された床構造のリフォーム方法及びそのリフォーム後の床構造に関する。
【背景技術】
【０００２】
在宅介護において介護ベッドを畳部屋へ設置する場面において、介護ベッドの脚部にベッド自重と要介護者の体重等が集中的にかかり、介護ベッド撤去後に脚部が置かれた部分に跡が残る恐れがある。介護ベッドは介護保険のレンタル対象品であり、平均使用期間は約８カ月と短期的であり、ベッド設置前の現状復帰が必要である。介護ベッド撤去後に畳に跡残りが生じ、畳を新調したり、跡残りが生じることによる問題に発展する場合もある。
【０００３】
また、介護ベッドは現在では電動（モータ使用）が一般的となり、部屋の配置により動線上に電源コード等の配線があると邪魔になるという問題がある。現状は、床にテープ等を用いて配線の段差を最小限とした配置を行っているが、歩行等に障害が生じる恐れがある。
【０００４】
なお、上述の畳の跡残りの問題は、介護ベッドの設置に限らず、例えば、車いすで畳部屋に乗り入れる場合であったり、トイレ設備（特に介護用のポータブルトイレ等）、洗面設備、台所設備、手摺り等の設備ユニットや家具（例えば、タンス、机、椅子等）等の重量物を畳部屋に設置する場合であったりしても、同様に生じる。
また、上述の歩行等の障害の問題は、介護ベッドに接続される配線に限らず、トイレ設備（特に介護用のポータブルトイレ等）、洗面設備、台所設備、手摺り等の設備ユニットに接続される配線や配管においても、同様に生じる。
【０００５】
特許文献１には、畳床と置き換え可能な大きさに形成されたフローリング構成体１Ａを畳床と交換するリフォーム技術が開示されている（段落〔００１８〕〔００１９〕及び図４等参照）。
特許文献２には、畳と同厚のフローリング風敷込み畳１を畳と交換するリフォーム技術が開示されている（請求項１及び図４等参照）。
特許文献３には、畳２０と同じ厚さの上床１５を用いて畳２０と上床１５を面一で交換するリフォーム技術が開示されている（図１及び図２等参照）。
特許文献１〜３のリフォーム技術によると、畳部屋から畳を撤去して床構造をリフォームできるが、現実の畳部屋における床構造のリフォームでは、工期の大幅な短縮及びコストダウンを図ることが求められている。さらに、特許文献１〜３には、介護ベッド等の設備ユニットに接続される配線や配管の床置きに係る問題を解決する技術について全く開示されていない。
【先行技術文献】
【特許文献】
【０００６】
【特許文献１】特開平１１−３２４２７８号公報
【特許文献２】実用新案登録第３１０２４０７号公報
【特許文献３】特開平０９−４９２８３号公報
【発明の概要】
【発明が解決しようとする課題】
【０００７】
本発明の課題は、畳部屋から畳を撤去して床構造をリフォームできるとともに、工期の大幅な短縮及びコストダウンを図ることができる床構造のリフォーム方法及びそのリフォーム後の床構造を実現することである。
本発明の他の課題は、上記課題に加えて、設備ユニットに接続される配線や配管を床下に隠すことができる床構造のリフォーム方法を実現することである。
【課題を解決するための手段】
【０００８】
上記課題を解決するために、請求項１に記載の発明は、床面上に複数の畳が敷設された床構造のリフォーム方法であって、前記床面上から前記畳を取り外す畳取り外し工程と、前記畳が取り外された前記床面上にフロアパネルを敷設するパネル敷設工程と、前記フロアパネル上に表面材を敷設する表面材敷設工程と、を備えることを要旨とする。
請求項２に記載の発明は、請求項１に記載の発明において、前記表面材上に設備ユニットを設置するユニット設置工程を備えることを要旨とする。
請求項３に記載の発明は、請求項２に記載の発明において、前記設備ユニットは、介護ベッドであることを要旨とする。
請求項４に記載の発明は、請求項２又は３に記載の発明において、前記フロアパネルの表面側には、前記設備ユニットに接続される配線及び／又は配管を配置可能な凹部が形成されており、前記凹部に前記配線及び／又は前記配管を配置する配置工程を備えることを要旨とする。
請求項５に記載の発明は、請求項２又は３に記載の発明において、前記フロアパネルの表面側には、前記フロアパネルの下部に連通する孔部が形成されており、前記設備ユニットに接続される配線及び／又は配管を前記孔部に挿通する挿通工程を備えることを要旨とする。
請求項６に記載の発明は、請求項１乃至５のいずれか一項に記載の発明において、前記パネル敷設工程では、前記床面上に敷設される前記フロアパネルの側面と他の部材との間に両者の隙間を埋める充填部材が配置されることを要旨とする。
請求項７に記載の発明は、請求項１乃至６のいずれか一項に記載の発明において、前記畳取り外し工程では、複数の前記畳のうちの一部の前記畳が取り外されるとともに、前記床面上に残された前記畳が並び替えられることを要旨とする。
請求項８に記載の発明は、請求項１乃至７のいずれか一項に記載の発明において、前記床面上から前記フロアパネル及び前記表面材を取り外し、それらが取り外された前記床面上に前記畳取り外し工程で取り外された前記畳を敷設し直す畳敷設工程を備えることを要旨とする。
請求項９に記載の発明は、請求項１乃至８のいずれか一項に記載の発明において、前記パネル敷設工程では、平面正方形又は平面矩形に形成された前記フロアパネル及び他のフロアパネルが用いられ、前記フロアパネルの縦幅及び横幅のうちの一方の幅は、前記他のフロアパネルの縦幅及び横幅のうちの一方の幅と一致し、前記フロアパネルの縦幅及び横幅のうちの他方の幅は、前記他のフロアパネルの縦幅及び横幅のうちの他方の幅と異なることを要旨とする。
請求項１０に記載の発明は、請求項１乃至９のいずれか一項に記載の発明において、前記フロアパネルは、複数のパネル片を連結部で連結して構成されており、前記パネル片は、天板と、前記天板を支持するための支持脚と、を備えることを要旨とする。
上記課題を解決するために、請求項１１に記載の発明は、床面上に複数の畳が敷設された床構造のリフォーム方法であって、前記床面上から複数の前記畳のうちの一部の前記畳を取り外し、前記床面上に残された前記畳を並び替えるとともに、前記床面上にフロアパネルを敷設することを要旨とする。
上記課題を解決するために、請求項１２に記載の発明は、床面上には、畳とともに該畳に隣接してフロアパネルが敷設されており、前記フロアパネル上には、表面材が敷設されていることを要旨とする。
【発明の効果】
【０００９】
本発明の床構造のリフォーム方法によると、床面上から畳を取り外す畳取り外し工程と、畳が取り外された床面上にフロアパネルを敷設するパネル敷設工程と、フロアパネル上に表面材を敷設する表面材敷設工程と、を備える。これにより、畳部屋から畳を撤去して床構造をリフォームできるとともに、工期の大幅な短縮及びコストダウンを図ることができる。そして、リフォーム後の床構造上に重量物を設置することで、重量物による畳の跡残りを防止できる。
また、前記表面材上に設備ユニットを設置するユニット設置工程を備える場合は、設備ユニットによる畳の跡残りを防止できる。
また、前記設備ユニットが、介護ベッドである場合は、介護ベッドによる畳の跡残りを防止できる。
また、前記フロアパネルの表面側に、前記設備ユニットに接続される配線及び／又は配管を配置可能な凹部が形成されており、前記凹部に前記配線及び／又は前記配管を配置する配置工程を備える場合は、設備ユニットに接続される配線及び／又は配管が凹部内に配置されて床下に隠される。そのため、配線や配管に脚をひっかけたり、車いすや歩行者の邪魔になることを防ぐことができる。
また、前記フロアパネルの表面側に、前記フロアパネルの下部に連通する孔部が形成されており、前記設備ユニットに接続される配線及び／又は配管を前記孔部に挿通する挿通工程を備える場合は、設備ユニットに接続される配線及び／又は配管が孔部に挿通されて床下に隠される。そのため、配線や配管に脚をひっかけたり、車いすや歩行者の邪魔になることを防ぐことができる。
また、前記パネル敷設工程では、前記床面上に敷設される前記フロアパネルの側面と他の部材との間に両者の隙間を埋める充填部材が配置される場合は、フロアパネルと充填部材を組み合わせることで、江戸間、中京間、六一間、本間等の畳のサイズが異なる畳部屋のリフォームに対応できる。
また、前記畳取り外し工程では、複数の前記畳のうちの一部の前記畳が取り外されるとともに、前記床面上に残された前記畳が並び替えられる場合は、リフォーム後の床構造上に対する重量物の設置個所に応じて畳部屋の一部の畳を撤去することで、更に簡易にリフォームできる。
また、前記床面上から前記フロアパネル及び前記表面材を取り外し、それらが取り外された前記床面上に前記畳取り外し工程で取り外された前記畳を敷設し直す畳敷設工程を備える場合は、リフォーム後の床構造を元の畳部屋に戻すことができる。
また、前記パネル敷設工程では、前記フロアパネル及び他のフロアパネルが用いられ、前記フロアパネルの一方の幅が、前記他のフロアパネルの一方の幅と一致し、前記フロアパネルの他方の幅が、前記他のフロアパネルの他方の幅と異なる場合は、フロアパネルと他のフロアパネルを組み合わせることで、江戸間、中京間、六一間、本間等の畳のサイズが異なる畳部屋のリフォームに対応できる。
さらに、前記フロアパネルが、複数のパネル片を連結部で連結して構成されており、前記パネル片が、天板と、前記天板を支持するための支持脚と、を備える場合は、安価且つ高強度なフロアパネルを使用できる。
本発明の他の床構造のリフォーム方法によると、床面上から複数の畳のうちの一部の畳を取り外し、床面上に残された畳を並び替えるとともに、床面上にフロアパネルを敷設する。これにより、重量物の設置個所に応じて畳部屋から一部の畳を撤去して床構造をリフォームできるとともに、工期の大幅な短縮及びコストダウンを図ることができる。そして、リフォーム後の床構造上に重量物を設置することで、重量物による畳の跡残りを防止できる。
本発明の床構造によると、床面上には、畳とともに該畳に隣接してフロアパネルが敷設されており、フロアパネル上には、表面材が敷設されている。これにより、重量物の設置個所に応じて畳部屋から一部の畳を撤去して床構造をリフォームできるとともに、工期の大幅な短縮及びコストダウンを図ることができる。そして、リフォーム後の床構造上に重量物を設置することで、重量物による畳の跡残りを防止できる。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係る床構造のリフォーム方法の説明図であり、（ａ）は床面上に複数の畳が敷設されたリフォーム前の状態を示し、（ｂ）は床面上から一部の畳を取り外して残りの畳を並び替えた状態を示す。
【図２】上記床構造のリフォーム方法の説明図であり、（ａ）は床面上にフロアパネルを敷設した状態を示し、（ｂ）はフロアパネル上に表面材を敷設した状態を示す。
【図３】上記床構造のリフォーム方法の説明図であり、（ａ）は表面材上に介護ベッドを設置して凹部に配線を配置した状態を示し、（ｂ）は配線が配置されたフロアパネル上に表面材を敷設した状態を示す。
【図４】上記床構造のリフォーム方法の説明図であり、（ａ）は床面上にフロアパネル及び表面材を順に敷設した状態を示し、（ｂ）は表面材上に介護ベッドを設置した状態を示し、（ｃ）はフロアパネルの凹部に配線を配置した状態を示す。
【図５】他の形態に係る床構造のリフォーム方法の説明図であり、（ａ）は床面上に充填部材を用いてフロアパネルを敷設した状態を示し、（ｂ）は床面上に充填部材を用いて第１及び第２フロアパネルを敷設した状態を示す。
【図６】更なる他の形態に係る床構造のリフォーム方法の説明図であり、床面上に第１〜第４フロアパネルを敷設した状態を示す。
【図７】実施例に係るフロアパネル及び表面材の斜視図である。
【図８】上記フロアパネルの平面図である。
【図９】図８のＩＸ矢視図である。
【図１０】図８のＸ−Ｘ線断面拡大図である。
【図１１】図８のＸＩ−ＸＩ線断面拡大図である。
【図１２】上記フロアパネルの裏面からみた要部拡大図である。
【図１３】他の形態のフロアパネルの要部断面図である。
【図１４】実施例に係る充填部材の斜視図である。
【図１５】上記充填部材の使用形態の説明図であり、（ａ）は１つの充填部材で隙間を埋める状態を示し、（ｂ）は複数の充填部材で隙間を埋める状態を示す。
【図１６】更なる他の形態のフロアパネルの斜視図である。
【発明を実施するための形態】
【００１１】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
＜床構造のリフォーム方法Ａ＞
本実施形態に係る床構造のリフォーム方法Ａは、例えば、図１〜図３等に示すように、床面（Ｆ）上に複数の畳（１０）が敷設された床構造のリフォーム方法であって、床面（Ｆ）上から畳（１０）を取り外す畳取り外し工程と、畳（１０）が取り外された床面（Ｆ）上にフロアパネル（１）を敷設するパネル敷設工程と、フロアパネル（１）上に表面材（２）を敷設する表面材敷設工程と、を備える。これら各工程は、例えば、所定の順序で行われてもよいし、複数の作業者により２以上の工程が同時に行われてもよい。
【００１３】
上記畳取り外し工程での畳（１０）の取り外し枚数、順序等は特に問わない。この畳取り外し工程としては、例えば、床面（Ｆ）上に敷設された複数の畳（１０）のうちの一部の畳を取り外す形態、全ての畳を取り外す形態等が挙げられる。一部の畳を取り外す場合、例えば、図１等に示すように、床面上に残された畳を並び替えるようにしてもよい。
【００１４】
上記畳（１０）の種類（サイズ）、敷設形態等は特に問わない。この畳の種類としては、例えば、江戸間、中京間、六一間、本間等が挙げられる。また、畳の敷設枚数（畳部屋の大きさ）としては、例えば、４畳半、６畳、８畳等が挙げられる。また、畳の敷設形態としては、例えば、祝儀敷き、不祝儀敷き等が挙げられる。
【００１５】
上記パネル敷設工程でのフロアパネル（１）の敷設枚数、順序等は特に問わない。このパネル敷設工程では、例えば、図２等に示すように、床面（Ｆ）上に隙間なくフロアパネル（１）を敷設することができる。さらに、例えば、図５等に示すように、床面（Ｆ）上に敷設されるフロアパネル（１）の側面と他の部材（例えば、畳寄せ、敷居等の枠材、他のフロアパネル、畳等）との間に両者の隙間を埋める充填部材（２１）を配置することができる。
【００１６】
上記充填部材（２１）の種類、個数、配置形態等は特問わない。この充填部材（２１）は、例えば、図１４及び図１５等に示すように、フロアパネル（１）の高さに等しい高さを有する複数の棒体（２３）を備え、複数の棒体（２３）は、隣接するもの同士が連結部（２４）を介して連結されていることができる。この棒体（２３）の大きさ（例えば、直径、高さ等）は、フロアパネル（１）の大きさ等に応じて適宜選択できる。
【００１７】
上記フロアパネル（１）の平面形状、サイズ、枚数等は特に問わない。このフロアパネル（１）は、通常、嵩上げ機能を発揮する。また、フロアパネル（１）は、例えば、平面正方形又は平面矩形に形成されていることができる。この場合、フロアパネル（１）は、例えば、所定の畳（例えば、江戸間）の１畳分の平面サイズの縦長さ（たけ）を複数に等分した縦幅を有することができる。さらに、フロアパネル（１）は、例えば、所定の畳（例えば、江戸間）の１畳分の平面サイズの横長さ（幅）を複数に等分した横幅を有することができる。
【００１８】
上記パネル敷設工程では、例えば、図５（ｂ）及び図６等に示すように、平面正方形又は平面矩形に形成されたフロアパネル（１）及び他のフロアパネル（３２、３３）が用いられ、フロアパネル（１）の縦幅及び横幅のうちの一方の幅は、他のフロアパネル（３２、３３）の縦幅及び横幅のうちの一方の幅と一致し、フロアパネル（１）の縦幅及び横幅のうちの他方の幅は、他のフロアパネル（３２、３３）の縦幅及び横幅のうちの他方の幅と異なることができる。
【００１９】
上記フロアパネル（１）は、例えば、連結部を用いて隣接するもの同士を連結することができる。例えば、フロアパネル（１）の四つ角の集合部分で四方のフロアパネル（１）を一度に押えるリング状の連結部を上部からはめ込んで隣接するフロアパネル（１）同士を連結してもよい。さらに、例えば、嵌合構造やフック構造の連結部を用いて隣接するフロアパネル（１）同士を連結してもよい。
【００２０】
上記フロアパネル（１）は、例えば、図７〜図９等に示すように、複数のパネル片（５〜７）を連結部（８）で連結して構成されており、パネル片（５〜７）は、天板（１１）と、天板を支持するための支持脚（１２）と、を備えることができる。この場合、例えば、フロアパネル（１）は、合成樹脂製であり、各パネル片（５〜７）及び連結部（８）は、一体成形されていることができる。
【００２１】
上記フロアパネル（１）は、例えば、金属製であってもよいが、軽量且つ高強度といった観点から、合成樹脂製であることが好ましい。この合成樹脂としては、例えば、ポリエステル系樹脂［例えば、ポリアルキレンテレフタレート（ポリエチレンテレフタレート（ＰＥＴ）、ポリブチレンテレフタレートなど）、ポリアルキレンナフタレート、液晶性芳香族ポリエステルなど］、ポリアミド系樹脂（ポリアミド６、ポリアミド６６などの短鎖セグメントを有する脂肪族ポリアミド系樹脂など）、ポリアセタール樹脂（ポリオキシメチレン樹脂）、ポリフェニレンスルフィド系樹脂（ポリフェニレンスルフィド樹脂など）、ポリエーテルエーテルケトン樹脂、オレフィン系樹脂［ポリエチレンなどのポリエチレン系樹脂、ポリプロピレン、プロピレン−エチレン共重合体などのポリプロピレン系樹脂、ポリ（メチルペンテン−１）など］、ハロゲン含有樹脂［例えば、ビニリデン系樹脂（塩化ビニリデン系樹脂など）、フッ素樹脂など］、ポリエーテルニトリル樹脂などの熱可塑性樹脂が例示できる。これらの樹脂は単独で又は二種以上組み合わせてもよい。また、これらの樹脂は、再生樹脂（使用済みプラスチック、リサイクル樹脂）であってもよい。
【００２２】
上記表面材敷設工程での表面材（２）の敷設枚数、順序等は特に問わない。この表面材（２）の平面形状、サイズ、枚数等は特に問わない。この表面材（２）は、例えば、平面正方形又は平面矩形に形成されていることができる。この表面材（２）の平面サイズは、フロアパネル（１）の平面サイズに対して同じであってもよいし、異なっていてもよい。さらに、表面材（２）としては、例えば、タイルカーペット、木質材料板、発泡樹脂板、金属板等、およびこれらの複合部材が挙げられる。
【００２３】
本実施形態に係る床構造のリフォーム方法Ａとしては、例えば、図４等に示すように、フロアパネル（１）の高さ（ｈ）と表面材（２）の厚さ（ｔ１）との和（ｈ＋ｔ１）と、畳（１０）の厚さ（ｔ２）との差が±３０ｍｍ以内（好ましくは±１０ｍｍ以内）である形態が挙げられる。この場合、例えば、畳（１０）の厚さ（ｔ２）と一致する高さ（ｈ＋ｔ１）の形態を採用することで、リフォーム前の畳の表面に対してリフォーム後の床構造の表面材の表面を面一にできる。なお、「一致」とは、両者が完全に一致する状態の他に、両者が多少（１〜５ｍｍ程度）異なる状態も含むものとする。さらに、例えば、リフォームの際に床面の嵩上げや掘り下げを行うために、畳（１０）の厚さ（ｔ２）と異なる高さ（ｈ+ｔ１）の形態を採用してもよく、追加の嵩上げ材を敷き込むこともできる。
【００２４】
ここで、畳を取り外した下の床面の構造においては、最近の建築では根太の上に隙間なく合板が貼られており、その上に畳が載っているのが基本である。この場合、通常、畳の厚さ（ｔ２）と一致する高さ（ｈ＋ｔ１）の形態が採用される。
一方、古い在来建築では、根太と畳の間には合板でなく、比較的低品位の無垢板材が並べてあるので、ブロックの足の一部が板材の隙間に落ち込んでしまう可能性がある。この場合のリフォームとして、無垢の板材の上にいったん合板を置き、その上にブロックを置く可能性がある。ブロックの欠点として、中空の床構造が音を伝えやすいという問題があり、ブロックと表面材との間や、ブロックの下に吸音板を挟む実施態様が考えられる。フロアパネル上に表面材を敷設する場合、表面材が、残留する畳の上にまで広く敷設されることはあり得る。これらの場合、畳の厚さ（ｔ２）と一致する高さ（ｈ＋ｔ１）の形態を採用すると、結果的に表面が面一にならなくなることになり得るため、畳の厚さ（ｔ２）と異なる高さ（ｈ＋ｔ１）の形態を採用することが好ましい。
【００２５】
本実施形態に係る床構造のリフォーム方法Ａとしては、例えば、図３等に示すように、表面材（２）上に設備ユニット（３）を設置するユニット設置工程を備える形態が挙げられる。この設備ユニットとしては、例えば、介護ベッド、トイレ設備（特に介護用のポータブルトイレ等）、洗面設備、台所設備、手摺り等が挙げられる。
【００２６】
上述のユニット設置工程を備える形態の場合、例えば、図３及び図４（ｃ）に示すように、フロアパネル（１）の表面側には、設備ユニット（３）に接続される配線（１５）及び／又は配管を配置可能な凹部（１６）が形成されており、凹部（１６）に配線（１５）及び／又は配管を配置する配置工程を備えることができる。この場合、例えば、図１３等に示すように、凹部（１６）の強度低下を抑制するため、凹部（１６）を蓋部材（３６）で閉塞することが好ましい。
【００２７】
上記凹部（１６）の形状、大きさ、配置場所、個数等は特に問わない。この凹部（１６）は、例えば、図８等に示すように、フロアパネル（１）の上面に開口しているとともに、隣接して配置されるフロアパネル（１）同士の凹部（１６）と連なるようにフロアパネル（１）の側面に開口していることができる。この凹部（１６）の平面形状としては、例えば、十字状、Ｔ字状、Ｌ字状、Ｉ字状等が挙げられる。さらに、凹部（１６）の横幅（ｗ）としては、例えば、２０〜１００ｍｍ（好ましくは４０〜８０ｍｍ）が挙げられる（例えば、図４等参照）。
【００２８】
上述のユニット設置工程を備える形態の場合、例えば、図１６等に示すように、フロアパネル（１）の表面側には、フロアパネルの下部に連通する孔部（４１、４２）が形成されており、設備ユニット（３）に接続される配線（１５）及び／又は配管を孔部（４１、４２）に挿通する挿通工程を備えることができる。
【００２９】
上記孔部（４１、４２）の形状、大きさ、配置場所、個数等は特に問わない。この孔部としては、例えば、図１６等に示すように、フロアパネル（１）の表面側の縁部に形成された孔部（４１）、フロアパネル（１）の表面側の内部に形成された孔部（４２）等が挙げられる。さらに、孔部（４１、４２）の平面形状としては、例えば、多角形、円形、楕円形等が挙げられる。
【００３０】
本実施形態に係る床構造のリフォーム方法Ａとしては、例えば、床面（Ｆ）上からフロアパネル（１）及び表面材（２）を取り外し、それらが取り外された床面（Ｆ）上に畳取り外し工程で取り外された畳（１０）を敷設し直す畳敷設工程を備える形態が挙げられる。
【００３１】
＜床構造のリフォーム方法Ｂ＞
本実施形態に係る床構造のリフォーム方法Ｂは、例えば、図１〜図３等に示すように、床面（Ｆ）上に複数の畳（１０）が敷設された床構造のリフォーム方法であって、床面（Ｆ）上から複数の畳（１０）のうちの一部の畳（１０）を取り外し、床面（Ｆ）上に残された畳（１０）を並び替えるとともに、床面（Ｆ）上にフロアパネル（１）を敷設する。本床構造のリフォーム方法Ｂによると、例えば、急に在宅介護が必要になったとき、専門工事が不要で畳床の一部だけ置き換えて介護ベッドやポータブルトイレ等を置き、介護が終われば簡単に元通りに戻すことができる。
【００３２】
本床構造のリフォーム方法Ｂでは、例えば、畳の取り外し、並び替え、フロアパネルの敷設の各工程は、所定の順序で行われてもよいし、複数の作業者により２以上の工程が同時に行われてもよい。また、本床構造のリフォーム方法Ｂとしては、例えば、上述の床構造のリフォーム方法Ａで説明した各構成を適用した形態が挙げられる。
【００３３】
＜床構造＞
本実施形態に係る床構造は、例えば、図４等に示すように、床面（Ｆ）上には、畳（１０）とともに該畳に隣接してフロアパネル（１）が敷設されており、フロアパネル（１）上には、表面材（２）が敷設されている。この床構造は、通常、上述の実施形態に係る床構造のリフォーム方法Ａにより得られる床構造である。
【００３４】
本実施形態に係る床構造としては、例えば、図４等に示すように、表面材（２）上には、設備ユニット（３）が設置されている形態が挙げられる。この場合、フロアパネル（１）の凹部（１６）には、設備ユニット（３）に接続される配線（１５）及び／又は配管が配置されていることができる。さらに、例えば、フロアパネル（１）の孔部（４１、４２）には、設備ユニット（３）に接続される配線（１５）及び／又は配管が挿通されてフロアパネル（１）の下部に配置されていることができる。
【００３５】
なお、上記実施形態で記載した各構成の括弧内の符号は、後述する実施例に記載の具体的構成との対応関係を示すものである。
【実施例】
【００３６】
以下、図面を用いて実施例により本発明を具体的に説明する。なお、本実施例では、４畳半の畳部屋（祝儀敷き）から３畳分の畳１０を撤去して、フロアパネル１及びタイルカーペットである表面材２を順に敷設してリフォームする形態を例示する。
【００３７】
本実施例に係るフロアパネル１及び表面材２は、図７〜図９に示すように、平面正方形に形成されている。これらフロアパネル１及び表面材２は、同じ平面サイズとされている。
【００３８】
上記フロアパネル１は、江戸間の１畳分の平面サイズ（１７６０×８８０ｍｍ）において、その縦長さ（たけ）を複数に４等分した縦幅（４４０ｍｍ）を有し且つその横長さ（幅）を２等分した横幅（４４０ｍｍ）を有している。すなわち、フロアパネル１は、江戸間の畳１０の平面サイズに基づいて規格化されている。さらに、フロアパネル１の高さｈ（例えば、５０ｍｍ）と表面材２の厚さｔ１（例えば、５ｍｍ）との和は、畳１０の厚さｔ２（例えば、５５ｍｍ）と一致している（図４参照）。
【００３９】
上記フロアパネル１は、縦横方向にそれぞれ複数列（この例では３列）に配列された合成樹脂製の複数（図８中で９枚）のパネル片５、６、７を備えている。パネル片５は、フロアパネル１のコーナー部に配置されている。また、パネル片６は、パネル片５に隣接してフロアパネル１の外周側に配置されている。また、パネル片７は、各パネル片６に隣接してフロアパネル１の中央部に配置されている。
【００４０】
上記各パネル片５〜７は、隣接するパネル片５〜７同士が断面Ｕ字状の連結部８で連結されている（図９参照）。この連結部８は、パネル片５〜７の一辺に沿って複数（図中２つ）設けられている。また、連結部８の両端側は、隣接するパネル片５〜７の後述の天板１１の下面に連結されている。また、連結部８は、フロアパネル１を床面Ｆ上に敷設したときに、床面Ｆの不陸（ガタつき）を吸収するような可撓性を有している。
【００４１】
上記各パネル片５〜７は、天板１１と、天板１１を支持するための支持脚１２と、を備えている（図９参照）。この天板１１は、平面正方形に形成されている。また、天板１１の裏面には、複数の補強リブ１３が設けられている（図１２参照）。また、支持脚１２は、天板１１の４隅から垂下されている。
【００４２】
上記フロアパネル１の表面側には、介護ベッド３に接続される電源コード等の配線１５を配置するための凹部１６が形成されている。この凹部１６は、フロアパネル１（すなわち、天板１１）の上面に開口し且つフロアパネル１の側面に開口している。また、凹部１６は、支持脚１２の下端側までの深さを有している。さらに、凹部１６は、平面十字状に形成されている。具体的に、凹部１６は、パネル片６に形成された直線状の凹部１６ａと、パネル片７に形成されて凹部１６ａに連なる十字状の凹部１６ｂと、により構成されている。
【００４３】
なお、上記フロアパネル１は、介護ベッド３の重量（例えば、約９０ｋｇ）、要介護者の体重（例えば、約５０ｋｇ）並びにマットレス及び布団の重量（例えば、約１０ｋｇ）以上の重さを支え得る強度を有している。
【００４４】
（１）床構造のリフォーム方法
本実施例に係る床構造のリフォーム方法は、畳取り外し工程、パネル敷設工程、表面材敷設工程、介護ベッド設置工程及び配線の配置工程を備えている。
【００４５】
上記畳取り外し工程は、図１に示すように、床面Ｆ上に敷設された畳１０（江戸間）を取り外す工程である。この畳取り外し工程では、床面Ｆ上に敷設された複数の畳１０のうちの一部の畳１０が取り外されるとともに、床面Ｆ上に残された畳１０が並び替えられる。その結果、床面上の畳１０のない領域は、３畳分の矩形状（１７６０×２６４０ｍｍ）とされる。
【００４６】
上記パネル敷設工程は、図２（ａ）に示すように、畳１０が取り外された床面Ｆ上に複数のフロアパネル１を敷設する工程である。このパネル敷設工程では、床面Ｆ上の畳１０のない領域に隙間なく複数（図中２４枚）のフロアパネル１が敷設される。
【００４７】
上記表面材敷設工程は、図２（ｂ）に示すように、フロアパネル１上に複数の表面材２を敷設する工程である。この表面材敷設工程では、介護ベッド３の配線１５の配置予定のフロアパネル１以外のフロアパネル１上に複数（図中２１枚）の表面材２が敷設される。このように、フロアパネル１上に表面材２が敷設されたとき、隣接する畳１０の表面と表面材１の表面とが面一とされる（図４参照）。
【００４８】
上記介護ベッド設置工程は、図３（ａ）に示すように、表面材２上に電動式の介護ベッド３（介護保険のレンタル対象品）を設置する工程である。また、上記配線１５の配置工程は、フロアパネル１の凹部１６に介護ベッド３に接続される配線１５を配置する工程である。この配線１５の配置工程の後に、図３（ｂ）に示すように、残りのフロアパネル１上に複数（図中３枚）の表面材２を敷設する。なお、図３中の符号３ａ、介護ベッド３の脚部を示す。
【００４９】
なお、本実施例では、表面材２を敷設する前のフロアパネル１の凹部１６に配線１５を配置してから表面材２を敷設する形態を例示したが、例えば、図４（ｂ）（ｃ）に示すように、フロアパネル１上に敷設された表面材２を取り外してフロアパネル１の凹部１６に配線１５を配置して表面材２を再び敷設する形態としてもよい。
【００５０】
上記各工程を経て得られる床構造では、図４に示すように、床面Ｆ上には、畳１０とともに該畳１０に隣接してフロアパネル１が敷設されており、フロアパネル１上には、表面材２が敷設されている。この表面材２上には、介護ベッド３が設置されている。さらに、フロアパネル１の凹部１６には、介護ベッド３に接続される配線１５が配置されている。
【００５１】
上記床構造のリフォーム方法は、介護ベッド３の使用が終了したときに、元の畳部屋の床構造に戻すための畳敷設工程を備えている。この畳敷設工程では、表面材２上から介護ベッド３が撤去され、床面Ｆ上からフロアパネル１及び表面材２が取り外され、それらが取り外された床面Ｆ上に畳取り外し工程で取り外された畳１０を敷設し直して、元の畳部屋の床構造に戻される。
【００５２】
（２）実施例の効果
本実施例の床構造のリフォーム方法によると、床面Ｆ上から畳１０を取り外す畳取り外し工程と、畳１０が取り外された床面Ｆ上にフロアパネル１を敷設するパネル敷設工程と、フロアパネル１上に表面材２を敷設する表面材敷設工程と、を備える。これにより、畳部屋から畳１０を撤去して床構造をリフォームできるとともに、工期の大幅な短縮及びコストダウンを図ることができる。そして、リフォーム後の床構造上に介護ベッド３を設置することで、介護ベッド３による畳１０の跡残りを防止できる。
【００５３】
また、本実施例では、フロアパネル１の高さｈと表面材２の厚さｔ１との和は、畳１０の厚さｔ２と一致する。これにより、リフォーム前の畳１０の表面に対してリフォーム後の床構造の表面材２の表面を面一にできる。
【００５４】
また、本実施例では、フロアパネル１の表面側には、介護ベッド３に接続される配線１５を配置可能な凹部１６が形成されており、凹部１６に配線１５を配置する配置工程を備える。これにより、介護ベッド３に接続される配線１５が凹部１６内に配置されて床下に隠される。そのため、配線１５に脚をひっかけたり、車いすや歩行者の邪魔になることを防ぐことができる。
【００５５】
また、本実施例では、畳取り外し工程において、複数の畳１０のうちの一部の畳１０が取り外されるとともに、床面Ｆ上に残された畳１０が並び替えられる。これにより、リフォーム後の床構造上に対する介護ベッド３の設置個所に応じて畳部屋の一部の畳１０のみを撤去することで、更に簡易にリフォームできる。
【００５６】
また、本実施例では、床面Ｆ上からフロアパネル１及び表面材２を取り外し、それらが取り外された床面Ｆ上に畳取り外し工程で取り外された畳１０を敷設し直す畳敷設工程を備える。これにより、リフォーム後の床構造を元の畳部屋に戻すことができる。
【００５７】
さらに、本実施例では、フロアパネル１は、複数のパネル片５〜７を連結部８で連結して構成されており、パネル片５〜７は、天板１１と、天板１１を支持するための支持脚１２と、を備える。これにより、安価且つ高強度なフロアパネル１を使用できる。
【００５８】
本実施例の床構造（リフォーム構造体）によると、床面Ｆ上には、畳１０とともに該畳１０に隣接してフロアパネル１が敷設されており、フロアパネル１上には、表面材２が敷設されている。これにより、介護ベッド３の設置個所に応じて畳部屋から一部の畳１０を撤去して床構造をリフォームできるとともに、工期の大幅な短縮及びコストダウンを図ることができる。そして、リフォーム後の床構造上に介護ベッド３を設置することで、介護ベッド３による畳１０の跡残りを防止できる。
【００５９】
（３）他の形態に係る床構造のリフォーム方法
次に、畳１０（江戸間）の平面サイズに基づいて規格化されたフロアパネル１を用いて、他の畳１０（例えば、中京間、六一間、本間等）が敷設された床構造をリフォームする方法について説明する。
【００６０】
＜床構造のリフォーム方法Ａ１＞
本床構造のリフォーム方法Ａ１は、図５（ａ）に示すように、畳１０（中京間）の３畳分（１８２０×２７３０ｍｍ）の床構造をリフォームする方法である。このリフォーム方法Ａでは、フロアパネル１とともに充填部材２１が用いられる。
【００６１】
上記充填部材２１は、図１４及び図１５に示すように、フロアパネル１の高さに等しい高さを有する複数の棒体２３を備えている。これら棒体２３は、隣接するもの同士が外周で連結部２４を介して連結されている。また、各棒体２３は、高さを揃え且つ直線上に並ぶように配置されている。さらに、各棒体２３は、軸方向の一端側を開口した筒状に形成されている。
【００６２】
上記床構造のリフォーム方法Ａ１では、図５（ａ）に示すように、畳部屋の３畳分の畳１０を取り外し、その３畳分の床面Ｆ上の領域に、複数（図中２４枚）のフロアパネル１を敷設する。次に、フロアパネル１と枠材２２（例えば、畳寄せ、敷居等）との間に、両者の隙間（図中で横方向の隙間；６０ｍｍ）を埋めるように１つ充填部材２１を配置するとともに、両者の隙間（図中で縦方向の隙間；９０ｍｍ）を埋めるように２つ充填部材２１を配置する。これら２つの充填部材２１は、棒体２３が千鳥状に配置されるように並べられる（図１５（ｂ）参照）。その後、フロアパネル１上に表面材２を敷設するとともに、充填部材２１上に対応するサイズの表面材を敷設する。
【００６３】
＜床構造のリフォーム方法Ａ２＞
本床構造のリフォーム方法Ａ２は、図５（ｂ）に示すように、畳１０（六一間）の３畳分（１８５０×２７７５ｍｍ）の床構造をリフォームする方法である。このリフォーム方法Ｂでは、第１フロアパネル１とともに第２フロアパネル３２及び充填部材２１が用いられる。
【００６４】
上記第１及び第２フロアパネル１、３２は、略同じ構成であるが、平面サイズが異なっている。すなわち、第２フロアパネル３２は、第１フロアパネル１の横幅（４４０ｍｍ）と一致する横幅を有するとともに、第１フロアパネル１の縦幅（４４０ｍｍ）と異なる縦幅（１３５ｍｍ）を有している。なお、上記第２フロアパネル３２上に、凹部１６を設けるようにしてもよい。
【００６５】
上記床構造のリフォーム方法Ａ２では、畳部屋の３畳分の畳１０を取り外し、その３畳分の床面Ｆ上の領域に、複数（図中２４枚）の第１フロアパネル１を敷設する。次に、第１フロアパネル１と枠材２２との間に、両者の隙間（横方向の隙間；９０ｍｍ）を埋めるように２つ充填部材２１を配置するとともに、両者の隙間（縦方向の隙間；１３５ｍｍ）を埋めるように複数（図中４枚）の第２フロアパネル３２を配置する。その後、第１フロアパネル１上に表面材２を敷設するとともに、第２フロアパネル３２及び充填部材２１上に対応するサイズの表面材を敷設する。
【００６６】
＜床構造のリフォーム方法Ａ３＞
本床構造のリフォーム方法Ａ３は、図６に示すように、畳１０（本間）の３畳分（１９７０×２９５５ｍｍ）の床構造をリフォームする方法である。このリフォーム方法Ｃでは、第１フロアパネル１とともに第２〜第４フロアパネル３２〜３４が用いられる。
【００６７】
上記第１〜第４フロアパネル１、３２〜３４は、略同じ構成であるが、平面サイズが異なっている。すなわち、第２フロアパネル３２は、第１フロアパネル１の横幅（４４０ｍｍ）と一致する横幅を有するとともに、第１フロアパネル１の縦幅（４４０ｍｍ）と異なる縦幅（３１５ｍｍ）を有している。また、第３フロアパネル３３は、第１フロアパネル１の横幅（４４０ｍｍ）と異なる横幅（２１０ｍｍ）を有するとともに、第１フロアパネル１の縦幅（４４０ｍｍ）と一致する縦幅を有している。さらに、第４フロアパネル３４は、第１フロアパネル１の横幅（４４０ｍｍ）と異なる横幅（２１０ｍｍ）を有するとともに、第１フロアパネル１の縦幅（４４０ｍｍ）と異なる縦幅（３１５ｍｍ）を有している。なお、上記第２〜第４フロアパネル３２〜３４上に、凹部１６を設けるようにしてもよい。
【００６８】
上記床構造のリフォーム方法Ａ３では、畳部屋の３畳分の畳１０を取り外し、その３畳分の床面Ｆ上の領域に、複数（図中２４枚）の第１フロアパネル１を敷設する。次に、第１フロアパネル１と枠材２２との間に、両者の隙間（横方向の隙間；２１０ｍｍ）を埋めるように複数（図中６枚）の第３フロアパネル３３を配置するとともに、両者の隙間（縦方向の隙間；３１５ｍｍ）を埋めるように複数（図中４枚）の第２フロアパネル３２を配置し、さらに両者の隙間（隅部の隙間；２１０×３１５ｍｍ）を埋めるように１つの第４フロアパネル３４を配置する。その後、第１フロアパネル１上に表面材２を敷設するとともに、第２〜第４フロアパネル３２〜４３上に対応するサイズの表面材を敷設する。
【００６９】
なお、上記床構造のリフォーム方法Ａ３において、第２フロアパネル３２を用いずに、第１フロアパネル１と枠材２２との間に、両者の隙間（縦方向の隙間；３１５ｍｍ）を埋めるように複数の第３フロアパネル３３とともに充填部材２１を配置するようにしてもよい。
【００７０】
本床構造のリフォーム方法Ａ１、Ａ２によると、パネル敷設工程では、床面Ｆ上に敷設されるフロアパネル１の側面と枠材２２との間に両者の隙間を埋める充填部材２１が配置される。これにより、フロアパネル１と充填部材２１を組み合わせることで、江戸間、中京間、六一間、本間等の畳１０のサイズが異なる畳部屋のリフォームに対応できる。
【００７１】
さらに、本床構造のリフォーム方法Ａ２、Ａ３によると、パネル敷設工程では、フロアパネル１及び他のフロアパネル３２、３３が用いられ、フロアパネル１の一方の幅は、他のフロアパネル３２、３３の一方の幅と一致し、フロアパネル１の他方の幅は、他のフロアパネル３２、３３の他方の幅と異なる。これにより、フロアパネル１と他のフロアパネル３２、３３を組み合わせることで、江戸間、中京間、六一間、本間等の畳１０のサイズが異なる畳部屋のリフォームに対応できる。
【００７２】
尚、本発明においては、上記実施例に限られず、目的、用途に応じて本発明の範囲内で種々変更した実施例とすることができる。すなわち、上記実施例では、江戸間の畳１０の平面サイズに基づいて規格化された平面サイズ（４４０×４４０ｍｍ）のフロアパネル１を例示したが、これに限定されず、例えば、他の畳（例えば、五六間、中京間、六一間、本間等）の平面サイズに基づいて規格化された平面サイズのフロアパネル１としてもよい。
【００７３】
また、上記実施例では、畳１０の縦長さ（たけ）を４等分し且つ横長さ（幅）を２等分した平面サイズのフロアパネル１を例示したが、これに限定されず、例えば、畳１０の縦長さ（たけ）及び横長さ（幅）を２等分した平面サイズのフロアパネル１としてもよい。また、例えば、畳１０の縦長さ（たけ）を２等分した平面サイズのフロアパネル１としてもよい。さらに、例えば、畳１０の１畳分の平面サイズの自然数倍の平面サイズのフロアパネル１としてもよい。
【００７４】
また、上記実施例では、フロアパネル１の上面に開口する凹部１６を例示したが、これに限定されず、例えば、図１３に示すように、フロアパネル１の上面に凹部１６を閉塞する蓋部材３６を設けるようにしてもよい。この蓋部材３６は、凹部１６内の配置状態を目視可能なように、透明又は半透明であることが好ましい。
【００７５】
また、上記実施例では、凹部１６を有するフロアパネル１を例示したが、これに限定されず、例えば、図１６に示すように、フロアパネル１の表面側にフロアパネル１の下部に連通する孔部４１、４２を設け、設備ユニット３に接続される配線１５及び／又は配管を孔部４１、４２に挿通する形態としてもよい。これにより、設備ユニット３に接続される配線１５及び／又は配管が孔部４１、４２に挿通されて床下に隠される。そのため、配線１５や配管に脚をひっかけたり、車いすや歩行者の邪魔になることを防ぐことができる。なお、上記孔部４１は、隣接するフロアパネル１のそれぞれの縁側に形成された一対の切欠きにより構成されている。
【００７６】
また、上記実施例では、リフォーム後の床構造上に介護ベッド３を設置する形態を例示したが、これに限定されず、例えば、リフォーム後の床構造上に車いすが乗り入れる形態としたり、トイレ設備（特に介護用のポータブルトイレ等）、洗面設備、台所設備、手摺り等の設備ユニットや家具（例えば、タンス、机、椅子等）を設置する形態としたりしてもよい。上述のトイレ設備、洗面設備又は台所設備等の設備ユニットを設置する場合、設備ユニットに接続される給排水管等の配管をフロアパネル１の凹部１６内に配置してもよい。
【００７７】
また、上記実施例では、介護ベッド３の設置用に３畳分の畳１０を取り外す形態を例示したが、これに限定されず、例えば、リフォーム後の床構造上に設置等される重量物の大きさに応じて取り外す畳１０の枚数を選択すればよい。
【００７８】
さらに、上記実施例では、複数の棒体２３を直線状に並べてなる充填部材２１を例示したが、これに限定されず、例えば、断面多角形、円形、楕円形等の長尺状の充填部材を採用してもよい。
【産業上の利用可能性】
【００７９】
本発明は、畳部屋から畳を撤去して床構造をリフォームする技術として広く利用される。
【符号の説明】
【００８０】
１；フロアパネル、２；表面材、３；介護ベッド（設備ユニット）、５，６，７；パネル片、８；連結部、１０；畳、１１；天板、１２；支持脚、１５；配線、１６；凹部、２１；充填部材、２２；枠材（他の部材）、３２；第２フロアパネル（他のフロアパネル）、３３；第３フロアパネル（他のフロアパネル）、４１，４２；穴部、Ｆ；床面。
【図１】
2020169476.tif 000003
【図２】
2020169476.tif 000004
【図３】
2020169476.tif 000005
【図４】
2020169476.tif 000006
【図５】
2020169476.tif 000007
【図６】
2020169476.tif 000008
【図７】
2020169476.tif 000009
【図８】
2020169476.tif 000010
【図９】
2020169476.tif 000011
【図１０】
2020169476.tif 000012
【図１１】
2020169476.tif 000013
【図１２】
2020169476.tif 000014
【図１３】
2020169476.tif 000015
【図１４】
2020169476.tif 000016
【図１５】
2020169476.tif 000017
【図１６】
2020169476.tif 000018